(57)【要約】【課題】本発明は単純動作のタッチ入力で複数のファイルを選択して一括処理することのできるファイル一括処理方法を提供する。【解決手段】本発明に係るファイル一括処理方法は、タッチ入力が可能な表示装置を具備するデジタルデバイスにより遂行され、各ファイルの内容が第１方向に沿って表示され、複数のファイルが第１方向と交差する第２方向に沿って配列された複数のファイルのうち少なくとも２つ以上を選択して任意の行為命令を処理する方法であって、前記ファイルのうちいずれか一つのファイル上での第１方向へのタッチ入力を通じて一括処理をするための実行命令を決定し、いずれか一つのファイルを起点とする第２方向へのタッチ入力を通じて、いずれか一つのファイルを含む第２方向へのタッチ入力によってクロスされる少なくとも一つのファイルに対して実行命令を処理することを含む。【選択図】図１
2019204540.tif 000002
【特許請求の範囲】
【請求項１】
タッチ入力が可能な表示装置を具備するデジタルデバイスによって遂行され、各ファイルの内容が第１方向に沿って表示され、複数のファイルが前記第１方向と交差する第２方向に沿って配列された複数のファイルのうち少なくとも２つ以上を選択して任意の行為命令を処理するファイル一括処理方法において、
前記ファイルのうちいずれか一つのファイル上でのタッチ入力を通じて前記いずれか一つのファイルを決定し、
前記いずれか一つのファイルを基点とする前記第２方向へのタッチ入力を通じて、前記ファイルのうち前記第２方向へのタッチ入力によってクロスされる少なくとも一つのファイルを選択し、
前記いずれか一つのファイルを含む前記選択された少なくとも一つのファイルを一括処理するための実行命令を選択及び処理することを含み、
前記実行命令を選択及び処理することは、
少なくとも一つの行為メニューを含む実行メニューを表示し、
前記実行メニューのうちいずれか一つの行為メニューへのタッチ入力を通じて、前記いずれか一つの行為メニューに対応する行為命令を前記実行命令として選択し、
前記実行命令として選択された行為命令を処理することを含み、
前記実行メニューを表示することは、
前記第２方向へのタッチ入力が終了したとき、前記実行メニューを表示することをことを特徴とするファイル一括処理方法。
【請求項２】
前記いずれか一つのファイルを決定することは、
前記ファイルのうちいずれか一つのファイル上でのタッチ入力が基準時間以上保持された場合、前記いずれか一つのファイルを選択されたファイルとして決定することを特徴とする請求項１に記載のファイル一括処理方法。
【請求項３】
前記第２方向へのタッチ入力は、
前記第２方向へのベクトル要素を含むタッチ入力であることを特徴とする請求項１に記載のファイル一括処理方法。
【請求項４】
前記第２方向へのタッチ入力は、
前記いずれか一つのファイル上でのタッチ入力に連続して遂行されることを特徴とする請求項１に記載のファイル一括処理方法。
【請求項５】
前記実行メニューは、
ファイルの削除命令のための削除メニュー、ファイルの切り取り命令のための切り取りメニュー、ファイルのコピー命令のためのコピーメニュー、及びファイルの送信命令のための送信メニューのうち少なくとも一つの行為メニューを含むことを特徴とする請求項１に記載のファイル一括処理方法。
【請求項６】
前記実行メニューは、
前記いずれか一つのファイルを含む前記選択された少なくとも一つのファイルの選択を取り消すための選択取り消しメニューを含むことを特徴とする請求項１に記載のファイル一括処理方法。
【請求項７】
前記ファイルは、
メールアカウントのメッセージファイル、メッセンジャーアカウントのメッセージファイル、及びＳＮＳ（Ｓｏｃｉａｌ  Ｎｅｔｗｏｒｋ  Ｓｅｒｖｉｃｅ）のメッセージファイルのうち少なくともいずれか一つであることを特徴とする請求項１に記載のファイル一括処理方法。
【発明の詳細な説明】
【技術分野】
【０００１】
本発明はファイル一括処理方法に関し、より詳細にはタッチ入力が可能な表示装置を具備するデジタルデバイスによって遂行され、複数のファイルのうち少なくとも２つ以上を選択して任意の行為命令を処理するファイル一括処理方法に関する。
【背景技術】
【０００２】
スマートフォン、タブレットＰＣなどのようなデジタルデバイスは、一般的にタッチ入力が可能な表示装置を具備しており、表示される画面を最大に拡張させながら自由に入力可能な機能を有している。このようなデジタルデバイスは無線通信に基づいてサーバシステムまたは他のデバイスと信号を取り交わすので、いつでもどこでもファイルを取り交わすことができる。例えば、一般のユーザはデジタルデバイスを通じてメールサーバまたはＳＮＳサーバに接続した後、メッセージを作成して他のユーザに送信したり、他のユーザから受信したメッセージを容易に確認したりすることができる。
【０００３】
一方、一般のユーザは自己のデジタルデバイスを通じて自己のメールまたはＳＮＳアカウントに保存されたメッセージのうち不必要であると判断したメッセージを選択して削除することができる。しかし、近年、無分別な広報性広告またはスパムメッセージが大量に伝送されることによって、一般のユーザがこのようなメッセージを一々選択して削除しなければならないという煩わしさが発生している。即ち、一般のユーザは複数のメッセージのうち所望するメッセージを一々選択した後削除メニューをクリックすることで、選択されたメッセージを一括して削除する。
【先行技術文献】
【特許文献】
【０００４】
【特許文献１】特表２０１１−５２５２７５号公報
【特許文献２】米国特許出願公開第２０１４／０１６８０９５号明細書
【発明の概要】
【発明が解決しようとする課題】
【０００５】
本発明はこのような問題点を解決するためのものであって、本発明が解決しようとする課題は単純な動作のタッチ入力によって複数のファイルを選択して一括処理できるファイル一括処理方法を提供することにある。
【課題を解決するための手段】
【０００６】
本発明の一実施例における一括処理方法は、タッチ入力が可能な表示装置を具備するデジタルデバイスによって遂行され、各ファイルの内容が第１方向に沿って表示され、複数のファイルが前記第１方向と交差する第２方向に沿って配列された複数のファイルのうち少なくとも２つ以上を選択して任意の行為命令を処理するファイル一括処理方法に関し、前記ファイルのうちいずれか一つのファイル上での前記第１方向へのタッチ入力を通じて一括処理のための実行命令を決定し、前記いずれか一つのファイルを基点とする前記第２方向へのタッチ入力を通じて、前記いずれか一つのファイルを含む前記第２方向へのタッチ入力によってクロスされる少なくとも一つのファイルに対して前記実行命令を処理することを含む。
【０００７】
前記実行命令を決定することは、前記いずれか一つのファイル上での前記第１方向へのタッチ入力を通じて少なくとも一つの行為メニューを含む実行メニューを表示し、及び前記実行メニューのうちいずれか一つの行為メニューへのタッチ入力を通じて前記実行命令を
決定することを含んでもよい。
【０００８】
前記実行メニューを表示することは、前記いずれか一つのファイル上での前記第１方向へのタッチ入力が基準距離以上タッチ移動された場合、前記実行メニューを表示してもよい。
【０００９】
前記実行メニューは、前記第１方向へのタッチ移動経路上に表示してもよい。
【００１０】
前記実行メニューは、ファイルの削除命令のための削除メニュー、ファイルの切り取り命令のための切り取りメニュー、ファイルのコピーメニュー、及びファイルの送信命令のための送信メニューのうち少なくともいずれか一つ行為メニューを含んでもよい。
【００１１】
前記いずれか一つの行為メニューへのタッチ入力を通じて前記実行命令を決定することは、前記第１方向へのタッチ入力が前記いずれか一つの行為メニュー上で停止した場合、前記いずれか一つの行為メニューに対応する行為命令を前記実行命令に決定してもよい。
【００１２】
前記実行命令を処理することは、前記いずれか一つの行為メニュー上での停止位置を基点として前記第２方向へのタッチ入力が遂行されてもよい。
【００１３】
前記実行命令を処理することは、前記第２方向へのタッチ入力を通じて、前記第２方向へのタッチ入力によってクロスされる少なくとも一つのファイルを選択し、前記いずれか一つのファイル及び前記選択された少なくとも一つのファイルに対して前記実行命令を処理することを含んでもよい。
【００１４】
前記第２方向へのタッチ入力は、前記第２方向へのベクトル要素を含むタッチ入力であってもよい。
【００１５】
前記いずれか一つのファイル及び前記選択された少なくとも一つのファイルに対して前記実行命令を処理することは、前記第２方向へのタッチ入力が終了したとき、前記実行命令を自動的に処理してもよい。
【００１６】
これとは異なり、前記いずれか一つのファイル及び前記選択された少なくとも一つのファイルに対して前記実行命令を処理することは、前記第２方向へのタッチ入力が終了したとき、前記実行命令を実際に処理するための実行処理メニューを表示し、前記実行処理メニューへのタッチ入力を通じて、前記いずれか一つのファイル及び前記選択された少なくとも一つのファイルに対して前記実行命令を処理することを含んでもよい。
【００１７】
前記実行処理メニューを表示することは、前記実行命令の実行を取り消すための実行取り消しメニューを共に表示してもよい。
【００１８】
前記第１方向へのタッチ入力及び前記第２方向へのタッチ入力は、タッチが途切れることなく連続的に遂行されてもよい。
【００１９】
前記ファイルは、メールアカウントのメッセージファイル、メッセンジャーアカウントのメッセージファイル、及びＳＮＳ（Ｓｏｃｉａｌ  Ｎｅｔｗｏｒｋ  Ｓｅｒｖｉｃｅ）のメッセージファイルのうち少なくとも一つであってもよい。
【００２０】
続いて、本発明の他の実施例におけるファイル一括処理方法は、タッチ入力が可能な表示装置を具備するデジタルデバイスによって遂行され、各ファイルの内容が第１方向に沿って表示され、複数のファイルが前記第１方向と交差する第２方向に沿って配列された複数
のファイルのうち少なくとも２つ以上を選択して任意の行為命令を処理する方法に関し、前記ファイルのうちいずれか一つのファイル上でのタッチ入力を通じて前記いずれか一つのファイルを決定し、前記いずれか一つのファイルを基点として前記第２方向へのタッチ入力を通じて、前記ファイルのうち前記第２方向へのタッチ入力によってクロスされる少なくとも一つのファイルを選択し、前記いずれか一つのファイルを含む前記選択された少なくとも一つのファイルを一括処理するための実行命令を選択及び処理することを含む。
【００２１】
前記いずれか一つのファイルを決定することは、前記ファイルのうちいずれか一つのファイル上での前記第１方向へのタッチ入力が基準距離以上タッチ移動された場合、前記いずれか一つのファイルを選択されたファイルに決定してもよい。
【００２２】
これとは異なって、前記いずれか一つのファイルを決定することは、前記ファイルのうちいずれか一つのファイル上でのタッチ入力が基準時間以上保持された場合、前記いずれか一つのファイルを選択されたファイルに決定してもよい。
【００２３】
前記第２方向へのタッチ入力は、前記第２方向へのベクトル要素を含んでいてもよい。
【００２４】
前記第２方向へのタッチ入力は、前記いずれか一つのファイル上でタッチ入力に連続して遂行されてもよい。
【００２５】
前記実行命令を選択及び処理することは、少なくとも一つの行為メニューを含む実行メニューを表示し、前記実行メニューのうちいずれか一つの行為メニューへのタッチ入力を通じて、前記いずれか一つの行為メニューに対応する行為命令を前記実行命令に選択し、前記実行命令として選択された行為命令を処理することを含んでもよい。
【００２６】
前記実行メニューを表示することは、前記第２方向へのタッチ入力が終了したとき、前記実行メニューを表示してもよい。
【００２７】
前記実行メニューは、ファイルの削除命令のための削除メニュー、ファイルの切り取り命令のための切り取りメニュー、ファイルのコピー命令のためのコピーメニュー、及びファイルの送信命令のための送信メニューのうち少なくとも一つの行為メニューを含んでもよい。
【００２８】
前記実行メニューは、前記いずれか一つのファイルを含む前記選択された少なくとも一つのファイルの選択を取り消すための選択取り消しメニューを含んでもよい。
【００２９】
前記ファイルは、メールアカウントのメッセージファイル、メッセンジャーアカウントのメッセージファイル、及びＳＮＳ（Ｓｏｃｉａｌ  Ｎｅｔｗｏｒｋ  Ｓｅｒｖｉｃｅ）のメッセージファイルのうち少なくともいずれか一つであってもよい。
【発明の効果】
【００３０】
本発明によるファイル一括処理によると、第１方向へのタッチ入力を通じて一括処理のための実行命令が決定され、第２方向へのタッチ入力を通じて複数のファイルが選択された後、実行命令が一括処理されることによって、ユーザは従来に比べてより単純な動作によって所望するファイルを選択して一括処理を遂行することができる。
【００３１】
また、本発明によるファイル一括処理によると、タッチ入力を通じて表示されたファイルのうちいずれか一つが決定され、第２方向へのタッチ入力を通じて複数のファイルが選択された後、一括処理のための実行命令が選択及び処理されることにより、ユーザは従来に比べてより単純な動作によって所望するファイルを選択して一括処理を遂行することがで
きる。
【図面の簡単な説明】
【００３２】
【図１】本発明の第１実施例におけるファイル一括処理方法を説明するためのフローチャートである。
【図２】図１のファイル一括処理方法のうち実行命令決定ステップ（Ｓ１００）を説明するためのフローチャートである。
【図３】図２の実行命令決定ステップのうち実行メニューを表示するステップ（Ｓ１１０）を説明するための図である。
【図４】図２の実行命令決定ステップのうち実行命令を決定するステップ（Ｓ１２０）を説明するための図である。
【図５】図１のファイル一括処理方法のうち実行命令処理ステップ（Ｓ２００）を説明するためのフローチャートである。
【図６】図５の実行命令処理ステップのうち実行対象となる複数のファイルを選択するステップ（Ｓ２１０）を説明するための図である。
【図７】図５の実行命令処理ステップのうち選択されたファイルに対して実行命令を処理するステップ（Ｓ２２０）の一例を説明するための図である。
【図８】図５の実行命令処理ステップのうち選択されたファイルに対して実行命令を処理するステップ（Ｓ２２０）の他の例を説明するための図である。
【図９】図５の実行命令処理ステップのうち選択されたファイルに対して実行命令を処理するステップ（Ｓ２２０）の他の例を説明するための図である。
【図１０】本発明の第２実施例におけるファイル一括処理方法を説明するためのフローチャートである。
【図１１】図１０のファイル一括処理方法のうちいずれか一つのファイルを決定するステップ（Ｓ３００）の一例を説明するための図である。
【図１２】図１０のファイル一括処理方法のうちいずれか一つのファイルを決定するステップ（Ｓ３００）の他の例を説明するための図である。
【図１３】図１０のファイル一括処理方法のうち実行のための複数のファイルを選択するステップ（Ｓ４００）を説明するための図である。
【図１４】図１０のファイル一括処理方法のうち実行命令選択及び処理ステップ（Ｓ５００）を説明するためのフローチャートである。
【図１５】図１４の実行命令選択及び処理ステップのうち実行メニューを表示するステップ（Ｓ５１０）を説明するための図である。
【図１６】図１４の実行命令選択及び処理ステップのうち表示された実行メニューを通じて実行命令を選択及び処理するステップ（Ｓ５２０、Ｓ５３０）を説明するための図である。
【発明を実施するための形態】
【００３３】
本発明は多様な変更を加えてもよく、多様な形態で実施されてもよい。ここでは、特定の実施形態を図面に例示しつつ、明細書の記載において詳細に説明する。
【００３４】
ただし、これは本発明を特定の実施形態に限定するものではなく、本発明は、本発明の趣旨及び技術範囲に含まれる全ての変更、均等物及び代替物を含むものとして理解されるべきである。本明細書において、第１、第２などの用語は多用な構成要素を説明するために使用されることがあるが、前記構成要素は前記用語によって限定解釈されない。前記用語は一つの構成要素を他の構成要素と区別する目的でのみ使用される。例えば、本発明の権利範囲を外れない限り、第１構成要素を第２構成要素と称してもよく、同様に第２構成要素を第１構成要素と称してもよい。
【００３５】
本明細書において使用した用語は単に特定の実施形態を説明するために使用されたもので
あって、本発明を限定しようとする意図ではない。単数の表現は文脈上明白に規定されない限り、複数の表現を含む。本明細書において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除するものではないと理解されるべきである。
【００３６】
以下、図面を参照して本発明の好適な一実施例についてより詳細に説明する。
【００３７】
まず、本実施例におけるファイル一括処理方法は、タッチ入力が可能な表示装置を具備するデジタルデバイス、例えば、スマートフォン、タブレットＰＣなどによって遂行されてもよい。
【００３８】
また、本実施例におけるファイル一括処理方法は、デジタルデバイスを通じて表示される複数のファイルのうち少なくとも２つ以上を選択して任意の行為命令を一括して処理する方法に関する。この際、複数のファイルは、第１方向に沿って各ファイルの一部の内容やタイトルなどが表示され、第１方向と交差する第２方向に沿って複数のファイルが配列されてもよい。
【００３９】
一方、本実施例におけるファイル一括処理方法は、メールアカウントのメッセージファイル、メッセンジャーアカウントのメッセージファイル、及びＳＮＳ（Ｓｏｃｉａｌ  Ｎｅｔｗｏｒｋ  Ｓｅｒｖｉｃｅ）のメッセージファイルのうち少なくともいずれか一つのファイルに適用されてもよい。しかし、本実施例におけるファイル一括処理方法は、文書ファイル、マルチメディアファイルなどのようなその他の多様なファイルにも同様に適用されてもよい。
【００４０】
以下では、ファイル一括処理方法がメールアカウントのメッセージファイルに適用された実施例について詳細に説明する。
（第１実施例）
【００４１】
図１は本発明の第１実施例におけるファイル一括処理方法を説明するためのフローチャートであり、図２は図１のファイル一括処理方法のうち実行命令決定ステップ（Ｓ１００）を説明するためのフローチャートであり、図３は図２の実行命令決定ステップのうち実行メニューを表示するステップ（Ｓ１１０）を説明するための図であり、図４は図２の実行命令決定ステップのうち実行命令を決定するステップ（Ｓ１２０）を説明するための図である。
【００４２】
図１から図４を参照すると、本実施例におけるファイル一括処理方法として、まず、デジタルデバイスは、表示されたファイルのうちいずれか一つのファイル上での第１方向へのタッチ入力を通じて一括処理するための実行命令を決定する（Ｓ１００）。
【００４３】
具体的には、デジタルデバイスは、表示装置に表示されるファイルのうちいずれか一つのファイル上での第１方向へのタッチ入力を通じて少なくとも一つの行為メニューを含む実行メニュー１０を表示してもよい（Ｓ１１０）。即ち、任意のユーザの指または任意のタッチ入力装置、例えば、タッチペンによって前記いずれか一つのファイル上でタッチされた後、第１方向に移動しながらタッチ入力が遂行されると、デジタルデバイスは第１方向へのタッチ入力を感知して実行メニュー１０を表示装置を通じて表示してもよい。
【００４４】
本実施例において、デジタルデバイスは、いずれか一つのファイル上でのタッチ入力が、第１方向に向かってタッチされたまま基準距離以上移動（タッチ移動）された場合にのみ
、実行メニュー１０を表示してもよい。例えば、基準距離は各ファイルの内容が第１方向に沿って表示される長さの１／５から１／２の範囲であってもよい。このように、第１方向へのタッチ入力が基準距離以上タッチ移動された場合にのみ、実行メニュー１０を表示することにより、ユーザの間違いによるタッチ入力によって実行メニュー１０が表示されることを抑制することができる。
【００４５】
本実施例において、実行メニュー１０は、例えば、ファイルの削除命令のための削除メニュー、ファイルの切り取り命令のための切り取りメニュー、ファイルのコピー命令のためのコピーメニュー、及びファイルの送信命令のための送信メニューのうち少なくともいずれか一つの行為メニューを含んでもよい。しかし、実行メニュー１０は上記した行為メニューの他に、一括処理遂行が可能な他の行為メニューをさらに含んでもよい。一方、ユーザの設定選択に応じて実行メニュー１０に含まれて表示される行為メニューが変更されてもよい。
【００４６】
実行メニュー１０を表示した後（Ｓ１１０）、デジタルデバイスは、実行メニュー１０のうちいずれか一つの行為メニューへのタッチ入力を通じて実行命令を決定してもよい（Ｓ１２０）。
【００４７】
具体的には、デジタルデバイスは、第１方向へのタッチ入力がいずれか一つの行為メニュー上で停止したか否かを判断し、その判断結果により、第１方向へのタッチ入力がいずれか一つの行為メニュー上で停止したと判断すると、当該行為メニューに対応する行為命令を実行命令に決定してもよい。例えば、図４においては、一例として削除命令を遂行するための削除メニュー上でタッチ入力が停止したことを示した。この際、第１方向へのタッチ入力が削除メニュー上で停止した場合、デジタルデバイスは、削除メニューを、他の選択されなかったメニューと区別できるように、例えば、濃い色相で表示してもよい。
【００４８】
一方、実行メニュー１０は第１方向へのタッチ移動の経路上に表示されてもよい。このように、実行メニュー１０が第１方向へのタッチ移動の経路上に表示される場合、Ｓ１１０及びＳ１２０はタッチ移動の方向を変更せずに遂行することができる。
【００４９】
図５は図１のファイル一括処理のうち実行命令処理ステップ（Ｓ２００）を説明するためのフローチャートであり、図６は図５の実行命令処理ステップのうち実行対象となる複数のファイルを選択するステップを説明するための図であり、図７は図５の実行命令処理ステップのうち選択されたファイルに対して実行命令を処理するステップの一例を説明するための図である。
【００５０】
図１及び図５から図７を参照すると、デジタルデバイスはＳ１００を遂行した後、Ｓ１００において第１方向へのタッチ入力が行われたいずれか一つのファイル（Ｓ１００において選択されたいずれか一つのファイル）を基点とした第２方向へのタッチ入力を通じて、当該ファイルを含む第２方向へのタッチ入力によってクロスされる少なくとも一つの他のファイルに対して実行命令を処理する（Ｓ２００）。ここで、第２方向は第１方向に対して垂直に交差する方向であってもよい。
【００５１】
具体的には、ユーザによるタッチ入力が、いずれか一つの行為メニュー、例えば、削除メニュー上での停止位置を基点として第２方向に遂行されると、デジタルデバイスは表示されたファイルのうち第２方向へのタッチ入力によってクロスされる少なくとも一つのファイルを選択する（Ｓ２１０）。
【００５２】
本実施例において、第２方向へのタッチ入力は第２方向へのベクトル要素を含むタッチ入力であってもよい。例えば、図６のように、第２方向に直進するタッチ入力のみならず、
第２方向へのベクトル要素を含む曲線移動のタッチ入力や斜線移動のタッチ入力によっても少なくとも一つのファイルを選択することができる。
【００５３】
少なくとも一つのファイルが選択された後（Ｓ２１０）、デジタルデバイスは、Ｓ１００によって選択されたいずれか一つのファイルと、Ｓ２１０によって選択された少なくとも一つのファイルに対して実行命令、例えば、削除命令を処理する（Ｓ２２０）。
【００５４】
ここで、デジタルデバイスは図７のように、第２方向へのタッチ入力が終了したとき、実行命令を自動的に処理してもよい。即ち、ユーザの指やタッチ入力装置が表示装置から離れたとき、選択されたファイルに対して実行命令、例えば、削除命令を自動的に遂行してもよい。
【００５５】
図８及び図９は、図５の実行命令処理ステップのうち選択されたファイルに対して実行命令を処理するステップの他の例を説明するための図である。
【００５６】
図８及び図９を参照すると、Ｓ２２０において、第２方向へのタッチ入力が終了したとき、実行命令が自動的に処理されなくてもよい。
【００５７】
具体的には、Ｓ２２０において、デジタルデバイスは、第２方向へのタッチ入力が終了したとき、図８のように実行命令を実際に処理するための実行処理メニュー（２０）を表示した後、実行処理メニュー２０へのタッチ入力を通じてＳ１１０及びＳ２１０によって選択されたファイルに対して実行命令、例えば、削除命令を処理してもよい。
【００５８】
本実施例において、デジタルデバイスは、実行処理メニューに隣接して、実行命令の実行を取り消すための実行取り消しメニューを同時に表示してもよい。この際、ユーザが実行取り消しメニューをクリックすると、デジタルデバイスはＳ１００及びＳ２１０において選択されたファイルの選択を解除する。
【００５９】
このように、第２方向へのタッチ入力が終了したとき、実行処理メニュー及び実行取り消しメニューが表示されることによって、実行命令が自動的に実行されてユーザの不注意によって間違って選択されたファイルが一括処理されることを防止することができる。
【００６０】
2019204540.tif 000003
【００６１】
2019204540.tif 000004
（第２実施例）
【００６２】
図１０は本発明の第２実施例におけるファイル一括処理方法を説明するためのフローチャートであり、図１１は図１０のファイル一括処理方法のうちいずれか一つのファイルを決定するステップ（Ｓ３００）の一例を説明するための図であり、図１２は図１０のファイル一括処理方法のうちいずれか一つのファイルを決定するステップ（Ｓ３００）の他の例を説明するための図である。
【００６３】
図１０、図１１及び図１２を参照すると、本実施例におけるファイル一括処理方法として、まず、デジタルデバイスは、表示されたファイルのうちいずれか一つのファイル上でのタッチ入力を通じていずれか一つのファイルを決定する（Ｓ３００）。
【００６４】
具体的に説明すると、いずれか一つのファイルを決定するステップ（Ｓ３００）では、図１１のように、デジタルデバイスは、表示されたファイルのうちいずれか一つのファイル上での第１方向へのタッチ入力が基準距離以上タッチ移動された場合、当該ファイルを選択されたファイルに決定してもよい。例えば、基準距離は当該ファイルが第１方向に沿って表示される長さの１／５から１／２の範囲であってもよい。
【００６５】
これとは異なり、いずれか一つのファイルを決定するステップ（Ｓ３００）では、図１２のように、デジタルデバイスは、表示されたファイルのうちいずれか一つのファイル上でのタッチ入力が基準時間以上保持された場合、当該ファイルを選択されたファイルに決定してもよい。例えば、基準時間は約１秒から約２秒の範囲であってもよい。
【００６６】
このように、いずれか一つのファイル上で第１方向へのタッチ入力が基準距離以上タッチ移動されたか、いずれか一つのファイル上でタッチ入力が基準時間以上保持された場合にのみ、当該ファイルを選択されたファイルに決定することによって、ユーザの間違いによるタッチ入力によって任意のファイルが選択されることが抑制される。
【００６７】
図１３は図１０のファイル一括処理方法のうち実行対象となる複数のファイルを選択するステップ（Ｓ４００）を説明するための図である。
【００６８】
図１０及び図１３を参照すると、デジタルデバイスは、Ｓ３００を遂行した後、Ｓ３００において選択されたファイルを基点とした第２方向へのタッチ入力を通じて、表示されたファイルのうち第２方向へのタッチ入力によってクロスされる少なくとも一つの他のファイルを選択する（Ｓ４００）。ここで、第２方向は第１方向に対して垂直に交差する方向であってもよい。
【００６９】
第２方向へのタッチ入力は第２方向へのベクトル要素を含むものでもよい。例えば、図１３のように、第２方向に直進するタッチ入力だけではなく、第２方向へのベクトル要素を
含む曲線移動のタッチ入力や斜線移動のタッチ入力によっても少なくとも一つのファイルを選択することができる。
【００７０】
Ｓ４００における第２方向へのタッチ入力は、Ｓ３００におけるタッチ入力に連続して遂行されてもよい。しかし、Ｓ４００における第２方向へのタッチ入力は、Ｓ３００におけるタッチ入力に連速して遂行されなくてもよい。
【００７１】
図１４は図１０のファイル一括処理方法のうち実行命令選択及び処理ステップ（Ｓ５００）を説明するためのフローチャートであり、図１５は図１４の実行命令選択及び処理ステップのうち実行メニューを表示するステップ（Ｓ５１０）を説明するための図であり、図１６は図１４の実行命令選択及び処理ステップのうち表示された実行メニューを通じて実行命令を選択及び処理するステップ（Ｓ５２０、Ｓ５３０）を説明するための図である。
【００７２】
図１０、図１４、図１５及び図１６を参照すると、デジタルデバイスは、Ｓ４００を遂行した後、Ｓ３００において選択されたファイル及びＳ４００において選択された少なくとも一つのファイルを一括処理するための実行命令を選択及び処理する（Ｓ５００）。
【００７３】
具体的に説明すると、実行命令を選択及び処理するステップ（Ｓ５００）として、まず、デジタルデバイスは、少なくとも一つの行為メニューを含む実行メニュー４０を表示してもよい（Ｓ５１０）。この際、実行メニュー４０を表示するステップ（Ｓ５１０）では、図１５のように、デジタルデバイスは、Ｓ４００における第２方向へのタッチ入力が終了したとき、実行メニューを表示してもよい。
【００７４】
本実施例において、実行メニュー４０はファイルの削除命令のための削除メニュー、ファイルの切り取り命令のための切り取りメニュー、ファイルのコピー命令のためのコピーメニュー、及びファイルの送信命令のための送信メニューのうち少なくとも一つの行為メニューを含んでもよい。また、実行メニュー４０は選択されたファイルの選択を取り消すための選択取り消しメニューをさらに含んでもよく、上記行為メニュー以外に一括処理遂行が可能である他の行為メニューをさらに含んでもよい。一方、ユーザの設定選択に応じて実行メニュー１０に含まれて表示される行為メニューが変更されてもよい。
【００７５】
続いて、デジタルデバイスは、実行メニューのうちいずれか一つの行為メニューへのタッチ入力を通じて、いずれか一つの行為メニューに対応する行為命令を実行命令として選択してもよい（Ｓ５２０）。図１６においては、削除命令に対応する削除メニューがタッチ入力によって選択された一例を示した。この際、デジタルデバイスは、削除メニューを、選択されなかった他のメニューと区別できるように、例えば、濃い色相で表示してもよい。
【００７６】
続いて、デジタルデバイスは実行命令で選択された行為命令を処理する（Ｓ５３０）。例えば、デジタルデバイスは、Ｓ５２０において実行命令として選択された削除命令を即時に処理してもよい。
【００７７】
2019204540.tif 000005
【００７８】
以上、本発明の実施例について詳細に説明したが、本発明はこれに限定されず、本発明が属する技術分野において通常の知識を有する者であれば、本発明の趣旨と精神を離れることなく、本発明を修正または変更できる。
【符号の説明】
【００７９】
１０、４０：実行メニュー
２０：実行処理メニュー
３０：実行取り消しメニュー
【図１】
2019204540.tif 000006
【図２】
2019204540.tif 000007
【図３】
2019204540.tif 000008
【図４】
2019204540.tif 000009
【図５】
2019204540.tif 000010
【図６】
2019204540.tif 000011
【図７】
2019204540.tif 000012
【図８】
2019204540.tif 000013
【図９】
2019204540.tif 000014
【図１０】
2019204540.tif 000015
【図１１】
2019204540.tif 000016
【図１２】
2019204540.tif 000017
【図１３】
2019204540.tif 000018
【図１４】
2019204540.tif 000019
【図１５】
2019204540.tif 000020
【図１６】
2019204540.tif 000021